(57)【特許請求の範囲】
【請求項１】
リール本体から突出する先端部を有するハンドル軸と、
上記ハンドル軸の先端部に相対的に回転不能に連結されたハンドルアームと、
上記ハンドル軸の先端部にねじ込まれて、上記ハンドルアームを上記ハンドル軸に締め付け固定するナットと、
上記ハンドルアームに重ねて取り付けられ、上記ナットの外周部に係合することで上記ナットの回り止めを行う板状の緩み止め部材と、を具備する魚釣用リールであって、
上記ハンドルアームは、上記ハンドル軸の先端部が選択的に回転不能に嵌合するとともに上記ハンドルアームの長手方向に間隔を存して並べられた第１の嵌合孔および第２の嵌合孔と、上記第１および第２の嵌合孔を間に挟んで上記ハンドルアームの長手方向に振り分けて配置された一対の係止部と、を有し、
上記緩み止め部材は、上記ナットの外周部が相対的に回転不能に嵌合する嵌合部と、上記係止部の少なくともいずれか一方に取り外し可能に固定される固定部と、上記嵌合部に隣接して設けられ、上記第１の嵌合孔および上記第２の嵌合孔のうち上記ハンドル軸の先端部から外れた空の嵌合孔を塞ぐカバー部と、を有し、
上記第１の嵌合孔および上記第２の嵌合孔のいずれか一方に上記ハンドル軸の先端部を嵌合させることで、上記ハンドルアームの長さを調節可能とするとともに、
上記第１の嵌合孔に上記ハンドル軸の先端部を通す時と上記第２の嵌合孔に上記ハンドル軸の先端部を通す時とで上記ハンドルアームに対する上記緩み止め部材の向きを反転させることで、上記緩み止め部材のカバー部を上記ハンドル軸の先端部から外れた空の嵌合孔に対応させることを特徴とする魚釣用リール。
【請求項２】
請求項１の記載において、上記ハンドルアームの係止部はねじ孔を有するとともに、上記緩み止め部材の固定部は止めねじを通すねじ挿通孔を有し、上記緩み止め部材は、上記ねじ挿通孔に通した止めねじを上記ねじ孔にねじ込むことで上記ハンドルアームに固定されることを特徴とする魚釣用リール。
【請求項３】
請求項１の記載において、上記ハンドルアームの係止部は係止孔を有するとともに、上記緩み止め部材の固定部は上記係止孔に対応する係止突起を有し、上記緩み止め部材は、上記係止突起を上記係止孔に引っ掛けることで上記ハンドルアームに固定されることを特徴とする魚釣用リール。
【請求項４】
請求項３の記載において、上記緩み止め部材の嵌合部は、上記緩み止め部材を上記ハンドルアームに固定した時に、上記ナットおよび上記ハンドル軸の先端部を覆い隠す壁部を有することを特徴とする魚釣用リール。
【発明の詳細な説明】
【技術分野】
【０００１】
本発明は、リール本体から突出するハンドル軸の先端部に、釣糸を巻き取る方向に回転操作されるハンドルを固定した魚釣用リールに係り、特にハンドルが有するハンドルアームの長さを調節するための構造に関する。
【背景技術】
【０００２】
例えば、リール本体に回転自在に支持されたスプールを有する両軸受タイプの魚釣用リールは、スプールを回転させるハンドルを装備している。ハンドルは、ハンドルアームと摘み部とを有している。ハンドルアームは、リール本体の一側部から突出するハンドル軸の先端部に連結されている。摘み部は、ハンドル軸から離れたハンドルアームの先端に取り付けられている。
【０００３】
そのため、釣人が摘み部を手で握ってハンドルアームを回すと、ハンドル軸が回転するとともに、このハンドル軸のトルクがスプールに伝わり、スプールが釣糸を巻き取る方向に回転するようになっている。
【０００４】
この種の魚釣用リールにおいて、従来、例えば釣りの対象となる魚の種類、釣糸を巻き取る時の負荷、巻き取り速度および釣場の状況等に適応するように、ハンドルアームの長さを調節可能としたものが知られている。
【０００５】
例えば、特許文献１に開示された魚釣用リールでは、ハンドルアームの基端部にハンドル軸の先端部が相対的に回転不能に嵌合する一対の切欠孔が形成されている。切欠孔は、ハンドルアームの長手方向に互いに離間して並んでおり、一方の切欠孔からハンドルアームの先端に位置する摘み部までの長さと、他方の切欠孔から摘み部までの長さが互いに異なっている。
【０００６】
そのため、ハンドル軸の先端部を嵌合すべき切欠孔を選択することで、実質的なハンドルアームの長さを二段階に変更することができる。
【０００７】
特許文献１に示された魚釣用リールでは、ハンドル軸の先端部を所望の切欠孔に嵌合した後、ハンドル軸の先端部に固定ねじをねじ込んでいる。固定ねじは、切欠孔よりも大径な頭部を有し、この頭部とハンドル軸の先端部との間でハンドルアームを挟み込んで固定している。
【０００８】
さらに、固定ねじが緩むのを防止するため、ハンドルアームにすりわり付き止めねじがねじ込まれている。すりわり付き止めねじは、ハンドルアームの切欠孔の間で固定ねじの頭部と隣り合うとともに、この頭部の外周面に形成した凹部に引っ掛かっている。したがって、ハンドルアームの実質的な長さを変更するには、すりわり付き止めねじをハンドルアームから取り外して、固定ねじの回り止めを解除する作業が必要となる。
【特許文献１】実開昭５６−５５３８０号公報
【発明の開示】
【発明が解決しようとする課題】
【０００９】
特許文献１に開示された魚釣用リールによると、固定ねじの回り止めを行うすりわり付き止めねじは、固定ねじよりも遥かに小さな外径を有する軸状をなしており、そのねじ山の外周部分が固定ねじの外周面の凹部に直接引っ掛かっている。
【００１０】
このような構成では、固定ねじよりも遥かに小径なすりわり付き止めねじが、固定ねじの凹部に食い込むような状態でハンドルアームにねじ込まれるので、止めねじの取り扱いが面倒となるとともに、止めねじの先端に位置するすりわりにドライバーのような工具を引っ掛ける時の作業性に難がある。この結果、すりわり付き止めねじを締め付けたり、弛める作業が煩雑となり、ハンドルアームの長さ調節を容易に行うことができない。
【００１１】
しかも、すりわり付き止めねじが細いので、この止めねじを十分な締め付けトルクで強固に締め付けることができず、実際に釣りをしている時の衝撃等により止めねじが緩んだり、ハンドルアームから脱落するのを否めない。
【００１２】
さらに、一対の嵌合孔のうち、ハンドル軸の先端部が挿入されていない非選択の切欠孔は、単なる開口としてハンドルアームの外に露出している。空の嵌合孔は、ハンドルアームの強度低下を招く一つの要因となるので、例えばスプールに強い負荷が加わった状態でハンドルアームを回した時に、嵌合孔が位置するハンドルアームの基端部が変形したり、ハンドル軸の嵌合部分にがたつきが発生し易くなる。
【００１３】
本発明の目的は、ハンドルアームの長さ調節およびナットの回り止めを容易に行いつつ、ハンドルアームの変形やがたつきの発生を未然に防止できる魚釣用リールを得ることにある。
【課題を解決するための手段】
【００１４】
上記目的を達成するため、本発明の一つの形態に係る魚釣用リールは、  
リール本体から突出する先端部を有するハンドル軸と、  
上記ハンドル軸の先端部に相対的に回転不能に連結されたハンドルアームと、  
上記ハンドル軸の先端部にねじ込まれて、上記ハンドルアームを上記ハンドル軸に締め付け固定するナットと、  
上記ハンドルアームに重ねて取り付けられ、上記ナットの外周部に係合することで上記ナットの回り止めを行う板状の緩み止め部材と、を備えている。  
上記ハンドルアームは、上記ハンドル軸の先端部が選択的に回転不能に嵌合するとともに上記ハンドルアームの長手方向に間隔を存して並べられた第１の嵌合孔および第２の嵌合孔と、上記第１および第２の嵌合孔を間に挟んで上記ハンドルアームの長手方向に振り分けて配置された一対の係止部と、を有している。  
上記緩み止め部材は、上記ナットの外周部が相対的に回転不能に嵌合する嵌合部と、上記係止部の少なくともいずれか一方に取り外し可能に固定される固定部と、上記嵌合部に隣接して設けられ、上記第１の嵌合孔および上記第２の嵌合孔のうち上記ハンドル軸の先端部から外れた空の嵌合孔を塞ぐカバー部と、を有している。  
上記ハンドルアームは、上記第１の嵌合孔および上記第２の嵌合孔のいずれか一方に上記ハンドル軸の先端部を嵌合させることで長さ調節が可能であるとともに、  
上記第１の嵌合孔に上記ハンドル軸の先端部を通す時と上記第２の嵌合孔に上記ハンドル軸の先端部を通す時とで上記ハンドルアームに対する上記緩み止め部材の向きを反転させることで、上記緩み止め部材のカバー部を上記ハンドル軸の先端部から外れた空の嵌合孔に対応させることを特徴としている。
【発明の効果】
【００１５】
本発明によれば、ハンドルアームに板状の緩み止め部材を重ね合わせることでナットの回り止めがなされるので、ナットの回り止め作業およびナットをハンドル軸から取り外して行うハンドルアームの長さ調節作業を容易に行うことができる。
【００１６】
加えて、第１の嵌合孔および第２の嵌合孔のいずれにハンドル軸を嵌合させた場合でも、ハンドル軸から外れた空の嵌合孔を緩み止め部材のカバー部で閉塞することができる。そのため、緩み止め部材がハンドルアームの空の嵌合孔の箇所に重なり合ってハンドルアームを補強する機能を果し、ハンドルアームの変形やハンドルアームとハンドル軸との嵌合部分にがたつきが生じるのを防止できる。
【発明を実施するための最良の形態】
【００１７】
以下本発明の第１の実施の形態を、図１ないし図６に基づいて説明する。
【００１８】
図１は、両軸受タイプの魚釣用リール１を開示している。魚釣用リール１は、リール本体２を備えている。リール本体２は、釣竿取り付け部３を介して図示しない釣竿のリールシートに固定される。
【００１９】
リール本体２は、フレーム４と左右の外側板５ａ，５ｂとで構成されている。フレーム４は、左右の側枠４ａ，４ｂと、側枠４ａ，４ｂの間に跨る支柱４ｃと、を備えている。側枠４ａ，４ｂは、魚釣用リール１の幅方向に間隔を存して向かい合っている。
【００２０】
左側の外側板５ａは、左側の側枠４ａにねじ止め、嵌合等の公知の手段により固定されている。右側の外側板５ｂは、右側の側枠４ｂにねじ止め、嵌合等の公知の手段により固定されている。外側板５ｂは、側枠４ｂを右側方から覆うとともに、この側枠４ｂとの間にギヤ室６を形成している。
【００２１】
リール本体２の側枠４ａ，４ｂの間にスプール８が回転自在に支持されている。スプール８は、釣糸が巻き付けられる釣糸巻回胴部９と、この釣糸巻回胴部９と一体に回転するスプール軸１０とを備えている。スプール軸１０の一端は、軸受１１を介してフレーム４の側枠４ａ又は外側板５ａに回転自在に支持されている。スプール軸１０の他端は、他の軸受１２を介してフレーム４の側枠４ｂに回転自在に支持されている。
【００２２】
図１に示すように、リール本体２のギヤ室６にピニオンギヤ１３、クラッチ機構１４およびハンドル軸１５が収容されている。ピニオンギヤ１３は、スプール軸１０と同軸状に配置されているとともに、スプール軸１０に噛み合う係合位置と、スプール軸１０から切り離される係合解除位置との間で移動可能となっている。
【００２３】
クラッチ機構１４は、クラッチ駆動部材１６とクラッチレバー１７とを有している。クラッチ駆動部材１６は、クラッチ機構１４がＯＮの時にピニオンギヤ１３を係合位置に移動させるとともに、クラッチ機構１４がＯＦＦの時にピニオンギヤ１３を係合解除位置に移動させる。クラッチレバー１７は、クラッチ機構１４をＯＮ・ＯＦＦ操作するためのものであり、リール本体２の前後方向に揺動可能に右側の外側板５ｂに支持されている。
【００２４】
ハンドル軸１５は、ピニオンギヤ１３と平行に配置されている。ハンドル軸１５は、ドラグ機構を内蔵するドライブギヤ１８を支持している。ドライブギヤ１８は、ギヤ室６内でピニオンギヤ１３と噛み合っている。
【００２５】
ハンドル軸１５は、右側の外側板５ｂを貫通してリール本体２の外に突出する先端部１５ａを有している。ハンドル軸１５の先端部１５ａの外周面に雄ねじ部１９と二面幅部２０が形成されている。図２および図３に示すように、二面幅部２０は、互いに平行をなす一対の平面２１ａ，２１ｂを有している。そのため、ハンドル軸１５の先端部１５ａは、例えば小判形のような非円形の断面形状を有している。
【００２６】
図１に示すように、ハンドル軸１５の先端部１５ａにドラグ調整用のスタードラグ２２およびハンドル２３が取り付けられている。ハンドル２３は、釣糸をスプール８に巻き取る時に釣人が手で操作するためのものであり、スタードラグ２２と隣り合っている。
【００２７】
ハンドル２３は、ハンドルアーム２４と摘み部２５とを備えている。ハンドルアーム２４は、例えばハンドル軸１５と直交するようにハンドル軸１５の径方向に延びる細長い帯板状に形成されている。ハンドルアーム２４は、リール本体２と向かい合う内側面２６ａと、リール本体２の反対側に位置する外側面２６ｂとを有している。
【００２８】
さらに、ハンドルアーム２４は、基端部２７ａと先端部２７ｂとを有している。基端部２７ａおよび先端部２７ｂは、ハンドルアーム２４の長手方向に互いに離れている。摘み部２５は、ハンドルアーム２４の先端部２７ｂに取り付けられて、ハンドルアーム２４の外側面２６ｂの右側に突出している。
【００２９】
図１ないし図３に示すように、ハンドルアーム２４の基端部２７ａに第１の嵌合孔３０および第２の嵌合孔３１が形成されている。第１および第２の嵌合孔３０，３１は、ハンドル軸１５の二面幅部２０に対応するような非円形（小判形）の開口形状を有している。
【００３０】
そのため、ハンドル軸１５の先端部１５ａを第１の嵌合孔３０又は第２の嵌合孔３１に嵌合すると、第１の嵌合孔３０又は第２の嵌合孔３１の開口縁が二面幅部２０の平面２１ａ，２１ｂに接触する。この接触により、ハンドル軸１５とハンドルアーム２４との間での相対的な回転が阻止され、ハンドル軸１５に対するハンドルアーム２４の回り止めがなされている。
【００３１】
第１の嵌合孔３０と第２の嵌合孔３１は、ハンドルアーム２４の長手方向に間隔を存して一列に並んでいる。本実施の形態によると、第１の嵌合孔３０の中心Ｏ１からハンドルアーム２４の先端部２７ｂまでの距離Ｌ１は、第２の嵌合孔３１の中心Ｏ２からハンドルアーム２４の先端部２７ｂまでの距離Ｌ２よりも長くなっている。このため、ハンドル軸１５の先端部１５ａを第１の嵌合孔３０に嵌合させると、ハンドルアーム２４が実質的に長くなり、逆にハンドル１４の先端部１５ａを第２の嵌合孔３１に嵌合させると、ハンドルアーム２４が実質的に短くなる。
【００３２】
よって、第１の嵌合孔３０又は第２の嵌合孔３１のいずれかを選択してハンドル軸１５の先端部１５ａを嵌合させることで、ハンドルアーム２４の長さを二段階に変更することができる。
【００３３】
ハンドルアーム２４の基端部２７ａに第１および第２のねじ孔３２ａ，３２ｂが形成されている。第１および第２のねじ孔３２ａ，３２ｂは、係止部の一例であって、第１および第２の嵌合孔３０，３１を間に挟んでハンドルアーム２４の長手方向に互いに振り分けられている。
【００３４】
第１のねじ孔３２ａは、第１の嵌合孔３０と隣り合うとともに、第２のねじ孔３２ｂは、第２の嵌合孔３１と隣り合っている。第１のねじ孔３２ａの中心Ｏ３から第１の嵌合孔３０の中心Ｏ１までの距離Ｄ１は、第２のねじ孔３２ｂの中心Ｏ４から第２の嵌合孔３１の中心Ｏ２までの距離Ｄ２と等しく設定されている。第１の嵌合孔３０の中心Ｏ１、第２の嵌合孔３１の中心Ｏ２、第１のねじ孔３２ａの中心Ｏ３および第２のねじ孔３２ｂの中心Ｏ４は、ハンドルアーム２４の長手方向に沿う同一の直線Ｘ１上に位置している。
【００３５】
図１に示すように、ハンドル軸１５の先端部１５ａに袋ナット３３がねじ込まれている。袋ナット３３は、ハンドルアーム２４をハンドル軸１５に固定するためのものであり、その外周部が六角形状に形成されている。
【００３６】
袋ナット３３を締め付けると、袋ナット３３のフラットな端面がハンドルアーム２４の基端部２７ａの外側面２６ｂに突き当たり、ハンドルアーム２４の基端部２７ａをハンドル軸１５の二面幅部２０の終端との間で挟み込む。この結果、ハンドルアーム２４は、ハンドル軸１５との相対的な回転を禁止した状態でハンドル軸１５に固定される。
【００３７】
図１ないし図３に示すように、ハンドルアーム２４の基端部２７ａの外側面２６ｂに緩み止め部材３５が取り付けられている。緩み止め部材３５は、ハンドルアーム２４の長手方向に延びる矩形状の金属板で構成され、基端部２７ａの外側面２６ｂに重ね合わされている。
【００３８】
緩み止め部材３５は、ロック孔３６、第１のねじ挿通孔３７ａ、第２のねじ挿通孔３７ｂおよびカバー部３８を備えている。ロック孔３６は、袋ナット３３が回転不能に嵌合する嵌合部の一例であり、袋ナット３３の外周部が嵌合する六角形の開口形状を有している。すなわち、緩み止め部材３５は、ロック孔３６の開口縁に六つの角部３６ａを有し、これら角部３６ａが袋ナット３３の外周部に引っ掛かることで袋ナット３３の回り止めをなしている。
【００３９】
第１および第２のねじ挿通孔３７ａ，３７ｂは、固定部の一例であって、ロック孔３６を間に挟んで緩み止め部材３５の長手方向に振り分けられている。第１および第２のねじ挿通孔３７ａ，３７ｂの配置間隔は、第１および第２のねじ孔３２ａ，３２ｂの配置間隔と一致している。
【００４０】
図３に示すように、ロック孔３６は、第１および第２のねじ挿通孔３７ａ，３７ｂの間の中間部よりも第１のねじ挿通孔３７ａの側にずれている。ロック孔３６の中心Ｏ５から第１のねじ挿通孔３７ａの中心Ｏ６までの距離Ｄ３は、第１のねじ孔３２ａの中心Ｏ３から第１の嵌合孔３０の中心Ｏ１までの距離Ｄ１および第２のねじ孔３２ｂの中心Ｏ４から第２の嵌合孔３１の中心Ｏ２までの距離Ｄ２と等しく設定されている。
【００４１】
カバー部３８は、ロック孔３６と第２のねじ挿通孔３７ｂとの間に位置している。カバー部３８は、フラットな板状をなすとともに、第１および第２の嵌合孔３０，３１の開口面積よりも大きな面積を有している。
【００４２】
緩み止め部材３５の第１および第２のねじ挿通孔３７ａ，３７ｂに夫々止めねじ４０が挿入されている。止めねじ４０は、第１および第２のねじ挿通孔３７ａ，３７ｂを貫通してハンドルアーム２４の第１および第２のねじ孔３２ａ，３２ｂにねじ込まれている。このねじ込みにより、緩み止め部材３５がハンドルアーム２４の基端部２７ａの外側面２６ｂに重ねた状態で固定されている。
【００４３】
緩み止め部材３５がハンドルアーム２４に固定された状態では、袋ナット３３がロック孔３６に嵌まり合うとともに、第１および第２の嵌合孔３０，３１のうちハンドル軸１５の先端部１５ａが嵌合されていない非選択の嵌合孔３０又は３１がカバー部３８によって塞がれる。
【００４４】
すなわち、図１および図２の例では、ハンドルアーム２４を長くするため、ハンドル軸１５の先端部１５ａがハンドルアーム２４の第１の嵌合孔３０に嵌合されている。そのため、緩み止め部材３５のカバー部３８は、ハンドル軸１５の先端部１５ａから外れた空の第２の嵌合孔３１に重なり合って、この第２の嵌合孔３１を塞いでいる。
【００４５】
このような構成の魚釣用リール１において、ハンドルアーム２４の長を調節する際の手順について説明する。
【００４６】
図１は、ハンドル軸１５の先端部１５ａがハンドルアーム２４の第１の嵌合孔３０に嵌合されて、ハンドルアーム２４を長くした状態を開示している。この状態からハンドルアーム２４を短くするには、止めねじ４０を弛めて緩み止め部材３５をハンドルアーム２４から取り外し、緩み止め部材３５による袋ナット３３のロックを解除する。
【００４７】
次に、袋ナット３３を弛めてハンドル軸１５の先端部１５ａから取り外す。この後、ハンドルアーム２４の第１の嵌合孔３０からハンドル軸１５の先端部１５ａの先端部を引き抜くとともに、図４ないし図６に示すように、引き抜いたハンドル軸１５の先端部１５ａを第２の嵌合孔３１に嵌め込む。
【００４８】
引き続いて、ハンドル軸１５の先端部１５ａに先に取り外した袋ナット３３をねじ込み、この袋ナット３３を介してハンドル軸１５の先端部１５ａにハンドルアーム２４を締め付け固定する。これにより、図４および図６に示すように、第１の嵌合孔３０が空となるとともに、袋ナット３３の位置が第１のねじ孔３２ａよりも第２のねじ孔３２ｂに近づく方向にずれる。
【００４９】
この袋ナット３３の位置のずれに対応するように、緩み止め部材３５を長手方向に沿って反転させ、ハンドル軸１５の延長線上にロック孔３６が位置するように緩み止め部材３５の向きを変更する。この状態で、緩み止め部材３５をハンドルアーム２４の基端部２７ａの外側面２６ｂに重ね合わせ、第１のねじ挿通孔３７ａを第２のねじ孔３２ｂに合致させるとともに、第２のねじ挿通孔３７ｂを第１のねじ孔３２ａに合致させる。
【００５０】
これにより、第２の嵌合孔３１に嵌合されたハンドル軸１５の先端部１５ａが緩み止め部材３５のロック孔３６を貫通し、この先端部１５ａにねじ込まれた袋ナット３３がロック孔３６に嵌まり込む。それとともに、緩み止め部材３５のカバー部３８が空となった第１の嵌合孔３０の上に重なり合い、このカバー部３８によって第１の嵌合孔３０が塞がれる。
【００５１】
最後に、緩み止め部材３５の第１および第２のねじ挿通孔３７ａ，３７ｂに夫々止めねじ４０を挿入し、この止めねじ４０を第１および第２のねじ孔３２ａ，３２ｂにねじ込む。これにより、袋ナット３３の回り止めをなす緩み止め部材３５が第１の嵌合孔３０を塞いだ状態でハンドルアーム２４に固定され、一連のハンドルアーム２４の長さ調節作業が完了する。
【００５２】
本発明の第１の実施の形態によれば、ハンドルアーム２４の基端部２７ａの外側面２６ｂに板状の緩み止め部材３５を重ね合わせると、ハンドルアーム２４をハンドル軸１５に固定する袋ナット３３が緩み止め部材３５のロック孔３６に嵌まり込む。これにより、ロック孔３６の開口縁に位置する角部３６ａが袋ナット３３の外周部に引っ掛かって、袋ナット３３の回り止めがなされる。
【００５３】
そのため、従来との比較において、袋ナット３３の回り止め作業および袋ナット３３を取り外した後に行われるハンドル軸１５と第１および第２の嵌合孔３０，３１との入れ換え作業を容易に行うことができ、ハンドルアーム２４の長さ調節に要する作業性を改善できる。
【００５４】
さらに、第１の嵌合孔３０および第２の嵌合孔３１のいずれにハンドル軸１５を嵌合させた場合でも、ハンドルアーム２４に対するハンドル軸１５の位置に合わせて緩み止め部材３５の向きを反転させることにより、ハンドル軸１５から外れた空の嵌合孔３０又は３１を緩み止め部材３５のカバー部３８で覆って閉塞することができる。
【００５５】
この結果、板状の緩み止め部材３５がハンドルアーム２４の空の嵌合孔３０又は３１の箇所に重なり合って、ハンドルアーム２４の基端部２７ａを補強する添え木としての機能を果たす。よって、緩み止め部材３５の基端部２７ａの強度が向上し、ハンドルアーム２４の変形やハンドルアーム２４とハンドル軸１５との嵌合部分にがたつきが生じるのを防止することができる。
【００５６】
それとともに、ハンドルアーム２４の長くした時と短くした時とで共通の緩み止め部材３５を使用することができる。そのため、ハンドルアーム２４の長さ調整を可能としたにも拘らず、魚釣用リール１の部品点数を少なく抑えることができ、魚釣用リール１のコストを低減できる。
【００５７】
本発明は上記第１の実施の形態に特定されるものではなく、発明の主旨を逸脱しない範囲内で種々変形して実施可能である。
【００５８】
例えば、図７および図８は、本発明の第２の実施の形態を開示している。
【００５９】
この第２の実施の形態は、緩み止め部材３５を一本の止めねじ５０でハンドルアーム２４に固定するようにした点が上記第１の実施の形態と相違しており、それ以外の魚釣用リール１の構成は第１の実施の形態と同様である。
【００６０】
図  に示すように、緩み止め部材３５の長手方向に沿う一端部に一つのねじ挿通孔５１が形成されている。ねじ挿通孔５１は、止めねじ５０を通すためのものであり、袋ナット３３を緩み止め部材３５のロック孔３６に嵌合した時に、第１のねじ孔３２ａ又は第２のねじ孔３２ｂのいずれかと合致するようになっている。
【００６１】
そのため、第２の実施の形態では、ハンドル軸１５の先端部１５ａが第１の嵌合孔３０に嵌合された状態では、ねじ挿通孔５１が第２のねじ孔３２ｂと合致し、止めねじ５０がねじ挿通孔５１を通じて第２のねじ孔３２ｂにねじ込まれる。また、ハンドル軸１５が第２の嵌合孔３１に嵌合された状態では、第１の実施の形態と同様に緩み止め部材３５の向きが反転されるので、ねじ挿通孔５１は第１のねじ孔３２ａと合致する。このため、止めねじ５０は、ねじ挿通孔５１を通じて第１のねじ孔３２ａにねじ込まれる。
【００６２】
図９は、本発明の第３の実施の形態を開示している。
【００６３】
この第３の実施の形態は、緩み止め部材６０の形態およびこの緩み止め部材６０をハンドルアーム２４に取り外し可能に保持するための構成が上記第１の実施の形態と相違しており、それ以外の魚釣用リール１の構成は基本的に第１の実施の形態と同様である。
【００６４】
図９に示すように、ハンドルアーム２４は、ハンドル軸１５の先端部１５ａに六角形のナット６１を介して固定されている。ハンドル軸１５の先端部１５ａの端面は、ナット６１を貫通してナット６１の外に飛び出ている。
【００６５】
ハンドルアーム２４の基端部２７ａに第１および第２の係止孔６２ａ，６２ｂが形成されている。第１および第２の係止孔６２ａ，６２ｂは、係止部の一例であって、第１および第２の嵌合孔３０，３１を間に挟んでハンドルアーム２４の長手方向に互いに振り分けられている。第１の係止孔６２ａは、第１の嵌合孔３０と隣り合うとともに、第２の係止孔６２ｂは、第２の嵌合孔３１と隣り合っている。さらに、第１および第２の係止孔６２ａ，６２ｂの内周面に夫々段差６３が形成されている。
【００６６】
緩み止め部材６０は、例えば合成樹脂材料によって形成されている。緩み止め部材６０は、弾性変形が可能な第１および第２の係止突起６４ａ，６４ｂを有している。第１および第２の係止突起６４ａ，６４ｂは、固定部の一例であって、ロック孔３６を間に挟んで緩み止め部材６０の長手方向に振り分けられているとともに、緩み止め部材６０からハンドルアーム２４に向けて突出している。第１および第２の係止突起６４ａ，６４ｂの配置間隔は、第１および第２の係止孔６２ａ，６２ｂと一致している。
【００６７】
第１および第２の係止突起６４ａ，６４ｂは、緩み止め部材６０をハンドルアーム２４の基端部２７ａの外側面２６ｂに重ね合わせて、ナット６１の外周部をロック孔３６に嵌め込んだ時に、ハンドルアーム２４の第１および第２の係止孔６２ａ，６２ｂに入り込む。これにより、第１および第２の係止突起６４ａ，６４ｂの先端の爪が第１および第２の係止孔６２ａ，６２ｂの内面の段差６３に弾性的に引っ掛かり、緩み止め部材６０がハンドルアーム２４の基端部２７ａに保持される。
【００６８】
さらに、緩み止め部材６０は、ロック孔３６に対応する箇所にキャップ状の壁部６５を有している。壁部６５は、ロック孔３６をハンドルアーム２４とは反対側から覆っている。そのため、緩み止め部材６０を第１および第２の係止突起６４ａ，６４ｂを介してハンドルアーム２４に保持した時に、ロック孔３６に嵌合されたナット６１およびナット６１から飛び出たハンドル軸１５の先端部１５ａの端面が壁部６５によって覆い隠されるようになっている。
【００６９】
このような第３の実施の形態によると、第１および第２の係止突起６４ａ，６４ｂを第１および第２の係止孔６２ａ，６２ｂの内面の段差６３に引っ掛けることで、緩み止め部材６０をハンドルアーム２４に保持することができる。
【００７０】
そのため、ハンドルアーム２４に対する緩み止め部材６０の取り付けおよび取り外しを簡単に行うことができる。それとともに、ハンドルアーム２４に緩み止め部材６０を固定する専用の止めねじが不要となり、その分、部品点数を削減して魚釣用リール１のコストを低減できるといった利点がある。
【図面の簡単な説明】
【００７１】
【図１】本発明の第１の実施の形態において、ハンドルアームを長くした状態を一部断面で示す魚釣用リールの正面図。
【図２】本発明の第１の実施の形態において、ハンドルアームの第１の嵌合孔にハンドル軸を嵌合させるとともに、このハンドルアームの基端部の外側面に緩み止め部材を固定した状態を示すハンドルの側面図。
【図３】本発明の第１の実施の形態において、第１の嵌合孔にハンドル軸が嵌合されたハンドルアームと緩み止め部材との位置関係を示すハンドルの側面図。
【図４】本発明の第１の実施の形態において、ハンドルアームを短くした状態を一部断面で示す魚釣用リールの正面図。
【図５】本発明の第１の実施の形態において、ハンドルアームの第２の嵌合孔にハンドル軸を嵌合させるとともに、このハンドルアームの基端部の外側面に緩み止め部材を固定した状態を示すハンドルの側面図。
【図６】本発明の第１の実施の形態において、第２の嵌合孔にハンドル軸が嵌合されたハンドルアームと緩み止め部材との位置関係を示すハンドルの側面図。
【図７】本発明の第２の実施の形態において、ハンドルアームを長くした状態を一部断面で示す魚釣用リールのハンドル周りの正面図。
【図８】本発明の第２の実施の形態において、ハンドルアームの第１の嵌合孔にハンドル軸を嵌合させるとともに、このハンドルアームの基端部の外側面に緩み止め部材を固定した状態を示すハンドルの側面図。
【図９】本発明の第３の実施の形態において、ハンドルアームの第１の嵌合孔にハンドル軸を嵌合させるとともに、このハンドルアームの基端部の外側面に緩み止め部材を固定した状態を一部断面で示す魚釣用リールのハンドル周りの正面図。
【符号の説明】
【００７２】
２…リール本体、１５…ハンドル軸、１５ａ…先端部、２４…ハンドルアーム、３０…第１の嵌合孔、３１…第２の嵌合孔、３２ａ，３２ｂ，６２ａ，６２ｂ…係止部（第１および第２のねじ孔、第１および第２の係止孔）３３，６１…ナット、３５，６０…緩み止め部材、３６…嵌合部（ロック孔）、３７ａ，３７ｂ，６４ａ，６４ｂ…固定部（第１および第２のねじ挿通孔、第１および第２の係止突起）、３８…カバー部。
【図１】
0004871904.tif 000002
【図２】
0004871904.tif 000003
【図３】
0004871904.tif 000004
【図４】
0004871904.tif 000005
【図５】
0004871904.tif 000006
【図６】
0004871904.tif 000007
【図７】
0004871904.tif 000008
【図８】
0004871904.tif 000009
【図９】
0004871904.tif 000010